(57)【要約】    【課題】  高圧水噴射を用いたアスベスト処理時において、十分な強度と防水性、および実用性をもって床面養生を行うことのできる、アスベスト処理時床面養生方法、アスベスト処理用床面養生材およびアスベスト処理システムを提供すること。    【解決手段】  アスベスト処理時床面養生方法は、土木用遮水シート５を養生材として用いてこれをアスベスト除去処理作業区域の床面に敷き、それにより床面を養生することを特徴とする。土木用遮水シート５は床面に接着する必要はなく、ただ床面上を覆うように敷き、上方から落下するアスベスト含有汚染水が外部に漏出しないようにすればよい。たとえば、産業廃棄物処分場用遮水シート、ため池・調整池・修景池用遮水シート、ビオトープ用遮水シート等を養生材として好適に用いることができる。【選択図】  図１
2020041300.tif 000002
【特許請求の範囲】
【請求項１】
土木用遮水シートをアスベスト除去処理作業区域の床面に敷いて床面を養生することを特徴とする、アスベスト処理時床面養生方法。
【請求項２】
前記土木用遮水シートが、下記（Ｕ）に示すいずれかの用途に使用可能な仕様を備えていることを特徴とする、請求項１に記載のアスベスト処理時床面養生方法。
（Ｕ）産業廃棄物処分場用、ため池・調整池・修景池用、ビオトープ用
【請求項３】
アスベスト除去処理作業区域の床面に敷いて床面を養生するための養生材であって、土木用遮水シート製であることを特徴とする、アスベスト処理用床面養生材。
【請求項４】
アスベスト除去処理対象の構造物にアスベスト除去処理用の水を噴射する水噴射装置と、アスベスト除去処理により発生するアスベスト汚泥や汚染廃水（以下、「アスベスト汚泥等」という。）を回収して後記貯留槽に送る移送手段と、アスベスト除去処理作業区域内に設置されたアスベスト汚泥等貯留貯留用の貯留槽と、該貯留槽の下に敷かれる土木用遮水シートを用いた養生材と、からなることを特徴とする、アスベスト処理システム。
【発明の詳細な説明】
【技術分野】
【０００１】
本発明はアスベスト処理時床面養生方法、アスベスト処理用床面養生材およびアスベスト処理システムに係り、特に、建築物のアスベスト除去作業区域を隔離・密封するための技術に関する。
【背景技術】
【０００２】
従来アスベスト（石綿）含有製品を製造していた業種や、アスベスト吹付け作業がなされていた建設業においては、これらの作業従事者や工場近隣住民の健康被害の健康被害が問題となり、現在ではアスベスト製品は、実質的に全廃された状況である。しかし、耐火被覆材・保温材・吸音材・断熱材等にアスベストが用いられた建築物の解体時には、アスベスト飛散が問題とされることがある。 そこで業界団体等では、一定の処理方針を提示し、それに従い建築物解体時のアスベスト処理を行なうこととしている。
【０００３】
たとえば、「改訂版建築物の解体等工事における石綿粉じんへのばく露防止マニュアル」（建築業労働災害防止協会）、「改訂既存建築物の吹付けアスベスト粉じん飛散防止処理技術指針・同解説２００６」（財団法人日本建築センター）である。 すなわち、アスベスト除去等作業時におけるアスベスト繊維の除去作業区域外拡散を防止するため、作業中という一時的な措置ではあるが、天井・壁には厚さ０．０８ｍｍ以上のポリエチレンシート等で、また、床面には厚さ０．１５ｍｍのポリエチレンシート等を２枚用いて、養生作業による密封・隔離をすることとしたものである。
【０００４】
一方、実際のアスベスト処理においては、飛散防止効果を高める狙いもあって、高圧水噴射等により大量の水を用いて行う方法が従来から広く用いられている。かかる方法では、大量のアスベスト含有水や超高圧水により剥離した構造物破片が床面上に落下して養生材を破損することがあり、そこからアスベストの流出を招き、環境汚染する可能性がある。そこで、アスベスト問題が我が国でクローズアップされ始めた平成１９〜２０（２００７〜２００８）年頃には、アスベスト処理における除去作業区域の隔離・密封、アスベスト飛散防止をより確実にすべく、建設業界では、建築用シートをアスベスト処理時の養生材として使用することが、広く行なわれるようになった。所定ＪＩＳ規格の屋上防水シート（ルーフィングシート）や建築用塗膜防水材を養生材として用いるとする技術（後掲特許文献１）もその例である。
【先行技術文献】
【特許文献】
【０００５】
【特許文献１】特開２０１５−５７５３８号公報「防水材をアスベスト処理の床面養生材に使用する方法」
【発明の概要】
【発明が解決しようとする課題】
【０００６】
上述のポリエチレンシートを養生材として使用する方法では、これを２枚重ねて用いても強度が不十分であり、また防水性も低い。上記文献開示の、特定仕様を備えた屋上防水シート等であれば、一定の強度および防水性が期待できる。しかし、アスベスト処理の需要は今後も長く継続するものであり、床面養生における十分な強度と防水性、さらに実用性を備えた、別の方式の提案が求められている。
【０００７】
そこで本発明が解決しようとする課題は、かかる従来技術の状況を踏まえ、高圧水噴射を用いたアスベスト処理時において、十分な強度と防水性、および実用性をもって床面養生を行うことのできる、アスベスト処理時床面養生方法、アスベスト処理用床面養生材およびアスベスト処理システムを提供することである。
【課題を解決するための手段】
【０００８】
本願発明者は上記課題について検討した結果、産業廃棄物処分場用の遮水シートを、アスベスト処理時の床面養生材として好適に使用できることを見出し、これに基づいて、最終的に本発明を完成するに至った。すなわち、上記課題を解決するための手段として本願で特許請求される発明、もしくは少なくとも開示される発明は、以下の通りである。
【０００９】
〔１〕  土木用遮水シートをアスベスト除去処理作業区域の床面に敷いて床面を養生することを特徴とする、アスベスト処理時床面養生方法。
〔２〕  前記土木用遮水シートが、下記（Ｕ）に示すいずれかの用途に使用可能な仕様を備えていることを特徴とする、〔１〕に記載のアスベスト処理時床面養生方法。
（Ｕ）産業廃棄物処分場用、ため池・調整池・修景池用、ビオトープ用
〔３〕  アスベスト除去処理作業区域の床面に敷いて床面を養生するための養生材であって、土木用遮水シート製であることを特徴とする、アスベスト処理用床面養生材。
〔４〕  アスベスト除去処理対象の構造物にアスベスト除去処理用の水を噴射する水噴射装置と、アスベスト除去処理により発生するアスベスト汚泥や汚染廃水（以下、「アスベスト汚泥等」という。）を回収して後記貯留槽に送る移送手段と、アスベスト除去処理作業区域内に設置されたアスベスト汚泥等貯留貯留用の貯留槽と、該貯留槽の下に敷かれる土木用遮水シートを用いた養生材と、からなることを特徴とする、アスベスト処理システム。
【発明の効果】
【００１０】
本発明のアスベスト処理時床面養生方法、アスベスト処理用床面養生材およびアスベスト処理システムは上述のように構成されるため、これらによれば、高圧水噴射を用いたアスベスト処理時において、十分な強度と防水性、および実用性をもって床面養生を行うことができる。したがって、建築物解体時のアスベスト処理におけるアスベストの環境（隔離区域該）への流出を有効に防止することができる。
【図面の簡単な説明】
【００１１】
【図１】本発明アスベスト処理システムの基本構成を概念的に示す説明図である。
【図２】図１に示すアスベスト処理システムにおける作用を示す説明図である。
【発明を実施するための形態】
【００１２】
以下、本発明をより詳細に説明する。
本発明のアスベスト処理時床面養生方法は、土木用遮水シートを養生材として用いてこれをアスベスト除去処理作業区域の床面に敷き、それにより床面を養生することを主たる構成とする。土木用遮水シートは、作業区域の床面に接着してもよいが、敢えて床面に接着する必要はなく、ただ床面上を覆うように敷き、上方から落下するアスベスト含有汚染水が外部に漏出しないようにすればよい。土木用遮水シートとしては、たとえば、産業廃棄物処分場用遮水シート、ため池・調整池・修景池用遮水シート、ビオトープ用遮水シート等を好適に用いることができる。つまり、これらの用途に使用可能な仕様を備えている遮水シートであれば、課題とする十分な強度・防水性・実用性を充足することができる。もちろん、これらの用途の遮水シートと同等以上の仕様を備えたシートであれば、本発明に用いることができる。なお、ここで仕様とは、主として材質と厚さである。
【００１３】
なお、遮水シートは概して、建築防水シート（加硫ゴムシート）と比較して耐久性および強度（破れにくさい）がある。たとえば、遮水シートの規格では、引張強さ１５７０Ｎ／ｃｍ２以上で合格、引裂強さ４４０Ｎ／ｃｍ以上で合格という規格値があるが、それに対して建築防水シート（加硫ゴムシート）では、引張強さ７５０Ｎ／ｃｍ２以上で合格。引裂強さ２５０Ｎ／ｃｍ以上で合格という規格値である。つまり、遮水シートの引張強さおよび引裂強さの合格規格値は、建築防水シート（加硫ゴムシート）のそれらを大幅に上回る。
【００１４】
本発明に係るに用いる土木用遮水シートとしては、たとえば、一般廃棄物最終処分場・産業廃棄物最終処分場・工場廃水処理場・屎尿処理場といった環境保全分野、調整池・ダム等の土木建設分野、ため池や水路等の農業・造園分野、さらにプールや水槽にも使用可能なデクトシート（登録商標）（前田工繊（株）製、塩化ビニール製、厚さ０．５〜５ｍｍの各仕様あり）を、好適に用いることができる。その他にも、下表１、２に示す各種遮水シートも、本発明に係る床用養生材として用いることができる。なお、各表中、次の標章は登録商標である。ディスポライナー（登録商標）、ビノン（登録商標）、アキレス（登録商標）、コ−ケン（登録商標）。
【００１５】
【表１】
2020041300.tif 000003
【００１６】
【表２】
2020041300.tif 000004
【００１７】
本発明のアスベスト処理時床面養生方法は、床面養生材として以上述べた土木用遮水シートを用いて床面を養生すること以外は、従来通りの過程・方法を用いて行うものとすることができる。すなわち、下記のような過程である。
作業過程１：床面の養生
養生材（土木用遮水シート）を床面に敷く。接合部では、防水仕様の両面粘着テープ等を用いて接着すればよい。
作業過程２・壁面等の養生
従来通り、所定厚さのポリエチレン製シートを用いる。以上により、アスベスト処理作業区域の隔離・密封状態が形成される。
【００１８】
作業過程３：アスベスト除去処理
高圧水噴射により、対象物のアスベストを除去する処理を行う。
作業過程４：アスベストおよび汚染水の回収処理
作業過程３により発生する汚染廃水やアスベスト汚泥を、負圧集塵装置等を用いて吸引・回収し、作業区域内の床面養生材上に設置した貯留槽に移送、これに貯留する。
作業過程５：養生材等に付着した粉塵の飛散防止処理
養生材に粉塵飛散防止剤を吹付け、粉塵を固定する。
作業過程６：養生材の撤去
養生材を撤去し、隔離状態を解除する。養生材は所定方法により廃棄準備する。
【００１９】
なお、以上説明したアスベスト除去処理作業区域の床面に敷いて床面を養生するための養生材であって、土木用遮水シート製であるアスベスト処理用床面養生材も、本発明の範囲内である。
【００２０】
図１は、本発明アスベスト処理システムの基本構成を概念的に示す説明図である。また、
図２は、図１に示すアスベスト処理システムにおける作用を示す説明図である。これらに示すように本アスベスト処理システム１０は、アスベスト除去処理対象の構造物Ｂに対してアスベスト除去処理用の水Ｗを噴射する水噴射装置２と、アスベスト除去処理により発生するアスベスト汚泥や汚染廃水（アスベスト汚泥等Ｇ）を回収して貯留槽４に送る移送手段３と、アスベスト除去処理作業区域内に設置されたアスベスト汚泥等貯留貯留用の貯留槽４と、貯留槽４の下に敷かれる土木用遮水シートを用いた養生材（床面養生材）５とからなることを、主たる構成とする。構造物Ｂには建築物が含まれる。
【００２１】
かかる構成により本アスベスト処理システム１０では、アスベスト除去処理作業区域内の床面に敷かれた土木用遮水シートによる床面養生材５の上に貯留槽４が設置されており、
水噴射装置２によってアスベスト除去処理対象の構造物Ｂに対してアスベスト除去処理用の水Ｗが噴射されてアスベスト除去処理がなされ、これにより発生するアスベスト汚泥等Ｇは移送手段３によって貯留槽４へと移送され、そこに貯留される。貯留槽４の下には、強度と防水性に優れた土木用遮水シートを用いた養生材５が敷かれていて完全に隔離されているため、作業区域外への汚染水等の流出が確実に防止される。
【００２２】
なお、図示しないが、土木用遮水シートが床面用養生材５として用いられることが特徴である本システム１０において、床面以外の壁面等養生用の養生材が用いられることは言うまでもない。また、作業区域内の空気中に飛散した粉塵を吸引、回収する集塵装置を備えること、作業員の熱中症対策としてスポットクーラーを備えること等の要素は、適宜加えることができる。
【産業上の利用可能性】
【００２３】
本発明のアスベスト処理時床面養生方法、アスベスト処理用床面養生材およびアスベスト処理システムによれば、高圧水噴射を用いたアスベスト処理時において、十分な強度と防水性、および実用性により床面養生を行える。したがって、建築物解体時のアスベスト処理におけるアスベストの環境への流出を有効に防止することができる。よって、建設業などアスベスト処理の必要な分野、および関連する全分野において、産業上利用性が高い発明である。
【符号の説明】
【００２４】
２…水噴射装置
３…移送手段
４…貯留槽
５…床面養生材
１０…アスベスト処理システム
Ｂ…アスベスト除去処理対象の構造物
Ｇ…アスベスト汚泥等
Ｗ…水
【図１】
2020041300.tif 000005
【図２】
2020041300.tif 000006